【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
ベースから使用者の胴体を支持できるように構成された支持具において、
（ａ）ベースに連結できるように構成された移動構造と、
（ｂ）該移動構造に対して作動可能に連結されかつ移動構造から離れる方向に延びている支持構造と、
（ｃ）使用者がその胴体を支持すべくもたれ掛かることができるレストとを有し、該レストは前記支持構造に対して作動可能に連結され、
支持構造および移動構造は協働しかつ（ｉ）支持構造が移動構造およびベースに沿って移動できるように、および（ｉｉ）支持構造が、ベースに対して全く移動しないように、ベースに対して所定位置に一時的に固定され、かつ移動構造に沿って支持構造を再び移動させるべく前記固定から後で解放できるように構成されていることを特徴とする支持具。
【請求項２】
ベースから使用者の胴体を支持できるように構成された支持具において、
（ａ）リニア経路に沿う方向に移動できるように、ベースに対して移動可能に連結されるように構成された移動構造と、
（ｂ）該移動構造に対して作動可能に連結されかつ移動構造から離れる方向に延びている支持構造と、
（ｃ）前面および後面を備えたレストとを有し、該レストは、前記前面と前記後面との間に延びる想像線が前記リニア経路を横切っており、使用者が前面からレストに接近してその胴体をレスト上にもたれ掛け、リニア経路を前後方向に横切るように胴体を支持することを特徴とする支持具。
【請求項３】
ベースから使用者の胴体を支持できるように構成された支持具において、
（ａ）ベースに連結できるように構成された移動構造と、
（ｂ）該移動構造に対して作動可能に連結されかつ移動構造から離れる方向に延びている支持構造と、
（ｃ）使用者がその胴体を支持すべくもたれ掛かることができるレストとを有し、該レストはピボット構造により支持構造に回動可能に結合され、該支持構造に対して回動できることを特徴とする支持具。
【請求項４】
前記移動構造は、歯科用椅子、該歯科用椅子に隣接するベース、およびデスクからなる群のうちの１つに対して作動可能に連結できるように構成されていることを特徴とする請求項１乃至３の何れか１項に記載の支持具。
【請求項５】
前記移動構造が作動可能に連結されるベースを更に有し、該ベースは、製造設備のワークステーションを含むことを特徴とする、請求項１乃至４の何れか１項に記載の支持具を有する支持具組立体。
【請求項６】
前記レスト、支持構造および移動構造のうちの少なくとも１つの中および／または前記１つと作動可能に係合するピボット構造を更に有し、
前記ピボット構造は、任意的に、レストが支持構造に対して回動することを可能にすることを特徴とする請求項１乃至４の何れか１項に記載の支持具を有する支持具組立体。
【請求項７】
前記移動構造、支持構造およびレストのうちの少なくとも１つと作動可能な延長構造を更に有し、レストをベースから離れる方向に伸長させおよび／またはベースに向かって収縮させることができることを特徴とする請求項１乃至４の何れか１項、又は請求項６記載の支持具。
【請求項８】
前記移動構造は一定長さをもつトラックを備え、支持構造はトラックの長さ方向に沿って作動可能に移動でき、
任意的に、前記トラックおよび支持構造のうちの少なくとも１つは、支持構造がトラックの長さ方向に沿って移動しないように支持構造を一時的にロックするように構成されており、
任意的に、前記ベースに対してレストが回動できるように、レスト、支持構造および移動構造のうちの少なくとも１つの中および／または前記１つと作動可能に係合するピボット構造を更に有し、
任意的に、前記ピボット構造は、レストが支持構造に対して回動することを可能にすることを特徴とする請求項１乃至４の何れか１項、又は請求項６又は７記載の支持具。
【請求項９】
前記レストは、移動構造が横切るリニア経路の少なくとも一部に対して平行な方向に延びているピボット軸線の回りで、支持構造に対して回動することを特徴とする請求項１乃至４の何れか１項、又は請求項６乃至８の何れか１項に記載の支持具。
【請求項１０】
前記レストは前面および後面を備え、レストは、使用者が前面からレストに接近して、ピボット構造のピボット軸線を横切って使用者の胴体をレスト上にもたれ掛けることができるように構成されていることを特徴とする請求項１乃至４の何れか１項、又は請求項６乃至９の何れか１項に記載の支持具。
【請求項１１】
前記移動構造が作動可能に連結されるベースを更に有し、該ベースは、製造設備のワークステーションを含むことを特徴とする、請求項１乃至４の何れか１項、又は請求項６乃至１０の何れか１項に記載の支持具。
【請求項１２】
被加工物を製造できるように構成された職業的ワークステーションにおいて、
（ａ）加工を行うべき加工物を支持する基板と、
（ｂ）該基板に対してほぼ固定的に配置される支持組立体とを有し、該支持組立体は、
（ｉ）ベースと、
（ｉｉ）該ベースに対して作動可能に連結されかつベースから離れる方向に延びている支持構造と、
（ｉｉｉ）前記基板と関連して物体を加工する間に、使用者がその胴体を支持すべくもたれ掛かることができるレストとを有し、該レストは前記支持構造に対して作動可能に連結されていることを特徴とする職業的ワークステーション。
【請求項１３】
前記ベースに連結される移動構造を更に有し、該移動構造はベースと支持構造との間のインターフェースとして機能し、ベースおよび基板に対してレストを移動でき、
任意的に、前記移動構造は、歯科用椅子、該歯科用椅子に隣接するベース、およびデスクからなる群のうちの１つに対して作動可能に連結できるように構成されていることを特徴とする請求項１２記載の職業的ワークステーション。
【請求項１４】
前記レストおよび支持構造のうちの少なくとも１つの中で作動可能に係合するピボット構造を更に有することを特徴とする請求項１３記載の職業的ワークステーション。
【請求項１５】
前記移動構造、支持構造およびレストのうちの少なくとも１つと作動可能な延長構造を更に有し、レストをベースから離れる方向に伸長させおよび／またはベースに向かって収縮させることができることを特徴とする請求項１２記載の職業的ワークステーション。
【請求項１６】
少なくとも第一および第二ワークステーションを有し、該ワークステーションでは、ここでの主な仕事として製造作業が作業者により行われ、前記少なくとも第一および第二ワークステーションが支持組立体を有し、該支持組立体が、
（ａ）ベースと、
（ｂ）該ベースに対して作動可能に連結されかつベースから離れる方向に延びている支持構造と、
（ｃ）作業者がその胴体を支持すべくもたれ掛かることができるレストとを有し、該レストは前記支持構造に対して作動可能に連結されていることを特徴とする製造設備。
【請求項１７】
前記ベースに連結されかつベースと支持構造との間のインターフェースとして機能する移動構造を更に有し、ベースへの移動構造の連結は、ベースに対する移動構造、従って支持組立体の移動を可能にすべく作動し、
任意的に、前記移動構造は一定長さをもつトラックを備え、支持構造はトラックの長さ方向に沿って作動可能に移動でき、
任意的に、前記トラックおよび支持構造のうちの少なくとも１つは、支持構造がトラックの長さ方向に沿って移動しないように支持構造を一時的にロックするように構成されていることを特徴とする請求項１６記載の製造設備。
【請求項１８】
前記レストおよび支持構造のうちの少なくとも１つの中で作動可能に係合するピボット構造を更に有し、
任意的に、前記少なくとも第一および第二ワークステーションは、全体として閉鎖された建物内に配置されており、
任意的に、前記ピボット構造は、レストが支持構造に対して回動することを可能にすることを特徴とする請求項１６又は１７に記載の製造設備。
【請求項１９】
前記少なくとも第一および第二ワークステーションは、全体として閉鎖された建物内に配置されていることを特徴とする請求項１６記載の製造設備。
【請求項２０】
前記レストは長さおよび幅方向に充分広いインターフェース面を有し、レストの使用者は、その体重が胴体でインターフェース面上に支持されるように快適にもたれ掛かることができ、支持組立体は、レストの高さおよび水平平面に対するインターフェース面の角度の少なくとも１つに関して、ベースに対するレストの調節を可能にする調節構造を有し、
前記調節構造は、レストが支持構造に対して回動することを可能にすることを特徴とする請求項１６記載の製造設備。
【請求項２１】
歯科用椅子に使用できる支持具において、
（ａ）使用者がもたれ掛かることができるレストと、
（ｂ）第一および第二端部を備えた第一アームとを有し、該第一アームは、第一端部の近接部分がレストに対して作動可能に連結され、
（ｃ）第三および第四端部を備えた第二アームを更に有し、該第二アームは、第三端部の近接部分が第一アームに対して作動可能に連結されかつ第四端部の近接部分が歯科用椅子に対して作動可能に連結され、
第一および第二アームは、レストの角度の調節、レストの高さの調節、およびレストの左右横方向位置の調節が可能であり、これらの全ての調節は、支持具が使用される歯科用椅子に対して行われることを特徴とする支持具。
【請求項２２】
歯科用椅子に使用する支持具において、
（ａ）背中のストレスを緩和するため使用者がもたれ掛かることができるレストと、
（ｂ）第一端部がレストに対し作動可能に連結される傾斜ブラケットと、
（ｃ）第一端部が傾斜ブラケットにかつ第二端部が歯科用椅子のベースに対し作動可能に連結される直立ブラケットとを有し、
前記ブラケットは、歯科用椅子に対するレストの角度、レストの高さ、およびレストの位置を調節できることを特徴とする支持具。
【請求項２３】
前記レストはパッドを備え、
任意的に、前記パッドの量は調節できることを特徴とする請求項２１又は２２に記載の支持具。
【請求項２４】
前記レストの回転角度を調節できるピボット機構を更に有し、
任意的に、前記レストは、前記ピボット機構の第一端部に近接した第一ピボット点を介してピボット機構に取付けられ、
任意的に、前記ピボット機構は第一ピボット機構を備え、第一アームは、該第一アームの第二端部に近接した第二ピボット機構を介して第一ピボット機構に取付けられ、
任意的に、前記レストを椅子に対して所望位置でロックできる少なくとも１つのロック器具を更に有することを特徴とする請求項２１又は２２に記載の支持具。
【請求項２５】
前記第一アームの第二端部に近接したスロットを更に有し、
任意的に、前記第二アームの第三端部に近接した第一および第二ガイドレールを更に有し、
任意的に、前記第一アームの第二端部は、第一ガイドレールと第二ガイドレールとの間で第二アームに摺動可能に連結されており、
任意的に、前記第一アームのスロットを通って延び、第一アームを第二アームに固定し、これにより、椅子に対するレストの所望高さを維持できる緊締具を更に有することを特徴とする請求項２１又は２２に記載の支持具。
【請求項２６】
前記支持具を歯科用椅子に対して作動可能に取付けることができる回転ベースを更に有し、
任意的に、前記回転ベースは回転構造を有し、該回転構造は、第二アームを、歯科用椅子の長手方向中心軸線のほぼ整合する位置を含む歯科用椅子の左右両側の間の任意の回転位置に回転させることができ、
任意的に、前記回転ベースに対して回転する回転構造を更に有し、第二アームを所望の回転位置でロックできるロックを更に有し、
任意的に、該回転構造は、第二アームが約１２０°までの総回転角度に亘って回転でき、
任意的に、前記回転ベースは、歯科用椅子の背もたれに取付けることができるように構成されていることを特徴とする請求項２１又は２２に記載の支持具。
【請求項２７】
前記第二アームの第四端部に近接した取付けプレートを更に有し、該取付けプレートは、支持具を歯科用椅子に対して作動可能に取付けることができるように構成されており、
任意的に、前記支持具が取付けプレートにより椅子に取付けられ、取付けプレートが椅子の背もたれに取付けられていることを特徴とする、請求項２１又は２２に記載の支持具。
【請求項２８】
前記第二アームの第四端部はスロットを有し、
任意的に、前記第二アームのスロットを通って延びている緊締具を更に有し、
任意的に、前記緊締具は、第二アームを、椅子に対して所望の角度位置でロックでき、
任意的に、前記第二アームのスロットと該スロット内の緊締具との協働により、第二アームが椅子に対して約１２０°までの総回転角度に亘って回転でき、
任意的に、前記第二アームのスロットと該スロット内の緊締具との協働により、第二アームを椅子に対して支持具の所望高さに維持することができることを特徴とする請求項２１又は２２に記載の支持具。
【請求項２９】
前記傾斜ブラケットは、直立ブラケットが全体的に延びている方向とは整合しない角度で延びており、
任意的に、前記傾斜ブラケットと直立ブラケットとの間のカプラを更に有し、該カプラは、傾斜ブラケットを、直立ブラケットに対して或る角度で配置することができ、この角度の大きさは変えることができ、
任意的に、前記カプラは、傾斜ブラケットを、直立ブラケットに対して所望の角度関係にロックするボールスイベルおよびねじロックを有していることを特徴とする請求項２２記載の支持具。
【請求項３０】
前記傾斜ブラケットの長さは、直立ブラケットに対して調節できることを特徴とする請求項２２記載の支持具。
【請求項３１】
前記直立ブラケットの長さは、傾斜ブラケットに対して調節できることを特徴とする請求項２２記載の支持具。
【請求項３２】
前記歯科用椅子のベースに隣接するトラックを更に有し、直立ブラケットの第二端部がトラックに対し作動可能に連結されており、
任意的に、前記直立ブラケットの第二端部には、歯科用椅子に対する支持位置を変えるべくトラックと協働するスライドプレートが設けられており、
任意的に、前記直立ブラケットをトラックに沿う所望位置でロックできるように構成されているフットコントロール型ロックを更に有しており、
任意的に、前記フットコントロール型ロックは、ばね付勢型ロッキングバーおよびピボットマウントを有しており、
任意的に、前記ロッキングバーおよびフットプレートは、集合的に、直立ブラケットがロック位置にあるときにロッキングピンと係合する一連の孔を有していることを特徴とする請求項２２記載の支持具。
【請求項３３】
前記直立ブラケットおよび傾斜ブラケットのうちの少なくとも一方は、第一ブラケット部材および第二ブラケット部材を更に有し、第一ブラケット部材は、第二ブラケット部材と組合されて、該第二ブラケット部材と入れ子式に係合し、
任意的に、前記第二ブラケット部材は複数の孔を有しており、
任意的に、前記第一ブラケット部材はばね付勢型ピンを有し、該ピンは、第二ブラケット部材の孔の１つと相互作用して、第一ブラケットを所望長さにロックできるように構成されていることを特徴とする請求項２２記載の支持具。
【請求項３４】
医療用患者椅子に使用することができる支持具において、
（ａ）使用者がもたれ掛かることができるレストと、
（ｂ）医療用患者椅子に対してベースからレストを支持できる支持構造とを有し、該支持構造はレストの調節を行うことができ、該支持構造は、
（ｉ）レストの高さ調節を可能にする装置と、
（ｉｉ）医療用患者椅子に近付く方向または離れる方向のレストの調節を可能にする装置と、
（ｉｉｉ）レストの回転方向の調節を可能にする装置とを有し、
これにより前記支持構造は、医療用患者椅子の患者の治療中に使用者の胴体をレストにもたれ掛けて胴体の大部分の体重を支持できるように、レストの位置決めを行うことができることを特徴とする支持具。
【請求項３５】
前記医療用患者椅子が突出した周囲を有し、支持構造が、医療用患者椅子の前記周囲にほぼ沿うようにかつ該周囲の限界まで近付くように、レストの横方向位置調節を可能にする装置を更に有することを特徴とする請求項３４記載の支持具。
【請求項３６】
前記レストを、医療用患者椅子に対して所望位置および／または回転方向位置にロック可能にするロック構造を更に有することを特徴とする請求項３４又は３５に記載の支持具。
【請求項３７】
前記医療用患者椅子に支持具を作動可能に取付けることができる回転ベースを更に有し、
任意的に、前記医療用患者椅子が突出した周囲を有し、支持構造が前記回転ベースの回転構造を更に有し、該回転構造は、支持構造を、前記周囲に対して所望の回転位置にロックできることを特徴とする請求項３４記載の支持具。
【請求項３８】
医療用患者椅子に使用することができる支持具において、
（ａ）使用者がもたれ掛かることができるレストと、
（ｂ）医療用患者椅子に対してベースからレストを支持できる支持構造とを有し、支持構造はレストの調節を行うことができ、該支持構造は、
（ｉ）前記周囲にほぼ沿うようにかつ該周囲の限界まで近付くように、レストの横方向位置調節を可能にする装置と、
（ｉｉ）レストの高さ調節を可能にする装置と、
（ｉｉｉ）医療用患者椅子に近付く方向または離れる方向のレストの調節を可能にする装置とを有し、
これにより前記支持構造は、医療用患者椅子の患者の治療中に使用者の胴体をレストにもたれ掛けて胴体の大部分の体重を支持できるように、レストの位置決めを行うことができることを特徴とする支持具。
【請求項３９】
前記レストを、医療用患者椅子に対して所望位置および／または回転方向位置にロック可能にするロック構造を更に有することを特徴とする請求項３８記載の支持具。
【請求項４０】
前記医療用患者椅子に支持具を作動可能に取付けることができる回転ベースを更に有することを特徴とする請求項３８記載の支持具。
【請求項４１】
前記医療用患者椅子が突出した周囲を有し、支持構造が前記回転ベースに対して回転する回転構造を更に有し、支持構造を、前記周囲に対して所望の回転位置にロックできるロックを更に有することを特徴とする請求項３８記載の支持具。
【請求項４２】
デスクと組合せて使用することができるように構成された支持具において、
（ａ）使用者がもたれ掛かることができるレストと、
（ｂ）第一端部がカプラを介してレストに、および第二端部がデスクの表面に対し作動可能に連結される直立ブラケットとを有し、この連結は、直立ブラケットに対してレストの角度を調節できることを特徴とする支持具。
【請求項４３】
ワークベンチに使用できるように構成された支持具において、
（ａ）使用者がもたれ掛かることができるレストと、
（ｂ）第一端部が、カプラを介してレストに対し作動可能に連結されかつ全体として第一方向に延びている直立ブラケットとを有し、該直立ブラケットは、この第二端部がワークベンチに取付けられるように構成されており、カプラは、レストを、直立ブラケットが全体的に延びている方向に対して整合しない角度で配置できることを特徴とする支持具。
【請求項４４】
（ａ）使用者を潜在的な前かがみ姿勢に支持できるレストを有し、該レストは、支持具を持運ぶことができるように構成されたボディストラップを備え、
（ｂ）第一端部が第一カプラを介してレストに対し作動可能に連結される直立ブラケットと、
（ｃ）第二カプラを介して直立ブラケットの第二端部に連結されるフットプレートとを更に有することを特徴とする支持具。
【請求項４５】
前記カプラは、ボールスイベルと、レストを、直立ブラケットに対して所望の回転位置でロックするねじロックとを備えていることを特徴とする請求項４２乃至４４の何れか１項に記載の支持具。
【請求項４６】
前記直立ブラケットの高さ調節を可能にする調節構造を有することを特徴とする請求項４２乃至４５の何れか１項に記載の支持具。
【請求項４７】
前記ブラケットの第二端部に組合せられるスライド部材と、デスクに組合せて使用するトラック部材とを更に有し、
任意的に、前記スライド部材は、ブラケットをトラックに沿う所与の位置にロックできるように構成されたロックを更に有することを特徴とする請求項４２乃至４６の何れか１項に記載の支持具。
【請求項４８】
前記ブラケットの第二端部に設けられるマウントを更に有し、該マウントは、支持具をデスクに直接取付けることができるように構成されており、
任意的に、前記マウントは、Ｃクランプ型マウントであることを特徴とする請求項４２記載の支持具。
【請求項４９】
使用者が直立ブラケットの高さを調節することを可能にする高さ調節構造を更に有することを特徴とする請求項４３記載の支持具。
【請求項５０】
前記直立ブラケットの第二端部に組合されたスライド部材と、ワークベンチに取付けられるように構成されたトラック部材とを更に有し、該トラック部材は一定長さを有し、スライド部材はトラック部材の長さ方向に沿って摺動できるように構成されており、
任意的に、前記スライド部材は、使用者がブラケットをトラック部材の長さに沿う選択位置にロックすることを可能にするロック構造を更に有していることを特徴とする請求項４３記載の支持具。
【請求項５１】
前記ブラケットの第二端部と組合されて、支持具をワークベンチに直接取付ける取付け構造を更に有し、
任意的に、前記マウント構造は、Ｃクランプ型構造であることを特徴とする請求項４３記載の支持具。
【請求項５２】
前記第一および第二カプラの各々が、ボールスイベルおよびねじロックを有していることを特徴とする請求項４４記載の支持具。